(57)【特許請求の範囲】
【請求項１】
便器と、前記便器に取り付けられ、洗浄水を放出する洗浄部と、前記洗浄部に適量の水を供給し不要となった捨て水を除く水量調節部と、前記捨て水を前記便器内に捨てる排水通路と、前記排水通路の末端に挿入される排水部が設けられるベースプレートとを備え、前記排水部は、前記ベースプレートに形成され前記便器内に通じ、一端が排水通路内に連なり前記捨て水を通す孔と、前記排水部に最も近い前記便器の内面側で前記孔の他端縁部に連なって設けられ、且つ前記捨て水の下流に向かうにつれて前記孔の中心線から徐々に離れつつ前記便器の内面方向に傾斜する傾斜面と、を有することを特徴とする洋風便器装置。
【請求項２】
請求項１において、
前記傾斜面は、前記捨て水の流れ方向と前記流れ方向に直角な幅方向とに直角な方向に凹む凹状に形成されたことを特徴とする洋風便器装置。
【請求項３】
請求項１または請求項２のいずれかにおいて、
前記傾斜面は、前記捨て水の流れ方向に向かって、第１の傾斜面と、前記第１の傾斜面より傾斜角度の大きい第２傾斜面を有することを特徴とする洋風便器装置。
【発明の詳細な説明】
【技術分野】
【０００１】
本発明は、捨て水排出手段を備えた洋風便器装置に関する。
【背景技術】
【０００２】
特許文献１には、温水タンク９７とノズル９８と、水道管９０との間の流路の途中に設けられ、温水タンク９７に供給する水量を調整しつつ調整時の余剰水を捨て水として排出する流量調整弁に接続され、その先端を、洋風便器本体２０の上縁に形成されたリム通水路２３ａに繋がるリム導水室１０に配置するリム通水管８８を有する洋風水洗式便器が開示されている。
【０００３】
この洋風水洗式便器は、捨て水がリム通水管８８、リム導水室１０およびリム通水路２３ａを介して、便鉢２４の封水８２に排出されるため、捨て水が封水８２に直接落下することがなく、飛沫によって人の臀部が濡れたり、異音が生じることを防止している。
【０００４】
特許文献２には、洗浄液注入手段１０により泡沫を発生させ、ボウル部３内の溜水Ｆの上方に泡沫層Ｂを形成する洋風便器装置が開示されている。
【０００５】
この洋風便器装置は、溜水Ｆの上方に泡沫層Ｂを形成するため、捨て水が溜水Ｆに直接落下することがなく、飛沫によって人の臀部が濡れたり、異音が生じることを防止できる。
【先行技術文献】
【特許文献】
【０００６】
【特許文献１】特開２００６−２９１５８１号公報
【特許文献２】特開２００８−００２１３８号公報
【発明の概要】
【発明が解決しようとする課題】
【０００７】
しかしながら、特許文献１に開示されている洋風水洗式便器は、捨て水を排出するために、捨て水をリム通水路２３ａに導くリム導水室１０を設けているため、装置が大きくなってしまうという課題を有していた。
【０００８】
また、特許文献２に開示されている洋風便器装置は、洗浄液注入手段１０を設けるため、装置が大きくなってしまうという課題を有していた。
【０００９】
本発明は、上記課題を解決するもので、装置を大きくすることなく、飛沫によって人の臀部が濡れたり、異音が生じることを防止でき、捨て水を封水に排出する洋風便器装置を提供することを課題とする。
【課題を解決するための手段】
【００１０】
上記の技術的課題を解決するために本発明にて講じられた第１の技術的手段は、便器と、前記便器に取り付けられ、洗浄水を放出する洗浄部と、前記洗浄部に適量の水を供給し不要となった捨て水を除く水量調節部と、前記捨て水を前記便器内に捨てる排水通路と、前記排水通路の末端に挿入される排水部が設けられるベースプレートとを備え、前記排水部は、前記ベースプレートに形成され前記便器内に通じ、一端が排水通路内に連なり前記捨て水を通す孔と、前記排水部に最も近い前記便器の内面側で前記孔の他端縁部に連なって設けられ、且つ前記捨て水の下流に向かうにつれて前記孔の中心線から徐々に離れつつ前記便器の内面方向に傾斜する傾斜面と、を有することを特徴とする洋風便器装置である。
【００１１】
第２の技術的手段は、第１の技術的手段において、前記傾斜面は、前記捨て水の流れ方向と前記流れ方向に直角な幅方向とに直角な方向に凹む凹状に形成されたことである。
【００１２】
第３の技術的手段は、第１の技術的手段または第２の技術的手段のいずれかにおいて、前記傾斜面は、前記捨て水の流れ方向に向かって、第１の傾斜面と、前記第１傾斜面より傾斜角度の大きい第２傾斜面を有することである。
【発明の効果】
【００１６】
請求項１の発明によると、前記排水通路の末端に挿入される排水部が設けられるベースプレートとを備え、前記排水部は、前記ベースプレートに形成され前記便器内に通じ、一端が排水通路内に連なり前記捨て水を通す孔と、前記排水部に最も近い前記便器の内面側で前記孔の他端縁部に連なって設けられ、且つ前記捨て水の下流に向かうにつれて前記孔の中心線から徐々に離れつつ前記便器の内面方向に傾斜する傾斜面と、を有することとした。
【００１７】
これにより、孔から流れ出た捨て水と傾斜面との間に発生する負圧により、捨て水が傾斜面にガイドされて流れて便器の内面に案内され、便器内面を伝って封水に導かれる。そのため、装置を大きくすることなく、捨て水を封水に導くことができる。また、捨て水が便器の内面を伝って封水に導かれるため、捨て水の飛沫によって人の臀部が濡れたり、異音が生じることを抑制できる。
【００１８】
請求項２の発明によると、傾斜面は、捨て水の流れ方向と捨て水の流れ方向に直角な幅方向とに直角な方向に凹む凹状に形成されたこととした。
【００１９】
これにより、捨て水が傾斜面の周囲に伝わって導かれることを抑制でき、捨て水を便器の内面に導くことができる。
【００２０】
請求項３の発明によると、傾斜面の下流側に第１傾斜面より傾斜角度の大きい第２傾斜面が設けられたこととした。
【００２１】
これにより、捨て水をより便器の内面近くに導くことができる。
【図面の簡単な説明】
【００２８】
【図１】本発明の第１の実施例に係る洋風便器装置の側面図。
【図２】本発明の第１の実施例に係るトイレ装置の透視図。
【図３】本発明の第１の実施例に係るトイレ装置のブロック図。
【図４】本発明の第１の実施例に係る排水部の断面図。
【図５】第１の実施例の変形例に係るに係る排水部の断面図。
【図６】本発明の第１の実施例に係る排水部の斜視図。
【図７】本発明の第２の実施例に係る排水部の正面図。
【図８】図７のII-II断面図。
【図９】本発明の第３の実施例に係る排水部の正面図。
【図１０】図９のIII-III断面図。
【発明を実施するための形態】
【００２９】
以下、本発明の実施の形態である第１の実施例を、図面を参照しながら説明する。
【００３０】
図１は、本発明に係る洋風便器装置１０の側面図である。洋風便器装置１０は、トイレ装置１００およびトイレ装置１００が取り付けられる便器２００から構成される。尚、便器２００は、断面により表され、この断面において捨て水Ｓの流れが示されている。
【００３１】
図２は、トイレ装置１００における局部洗浄装置１１０を示す透視図である。局部洗浄装置１１０は、図示しない人体の局部を洗浄する洗浄水を放出する洗浄部としての洗浄ノズル１１１と、洗浄ノズル１１１に適量の水を供給し不要となった捨て水Ｓを除く水量調節部としての給水バルブ１１２と、捨て水を便器２００内に捨てる排水通路としての排水ホース１１３と、排水ホース１１３の末端に位置する排水部１４０と、排水部１４０が設けられるベースプレート１１４とから構成される。また、トイレ装置１００は、局部洗浄装置１１０に加え、洋風便器装置１０の使用時に使用者が着座する便座１２０と、便器を覆う便蓋１３０とを有し、便座１２０と便蓋１３０はベースプレート１１４に支持されている。
【００３２】
図３は、給水バルブ１１２から洗浄ノズル１１１までの構成を示すブロック図である。洗浄水を温水にする熱交換ユニット１１５と洗浄水による洗浄能力を上げるための脈動バルブ１１６が、給水バルブ１１２と洗浄ノズル１１１との間に設けられている。
【００３３】
図４は、本実施例の排水部１４０の断面図である。排水部１４０は、ベースプレート１１４に形成され、排水ホース１１３が挿入される突部１４１に設けられ便器２００内に通じ、捨て水Ｓを通す孔１４２を有する。また、排水部１４０は、孔１４２の縁部１４３に連なり、捨て水Ｓの下流に向かって孔１４２の中心線Ｃから徐々に離れ、図１に示す便器２００において排水部１４０に最も近傍の内面２０１（便器２００の後部側内面）方向に傾斜して設けられた傾斜面１４４を有する。
【００３４】
傾斜面１４４は、第１傾斜面１４５と、第１傾斜面１４５の下流側に、第１傾斜面１４５より傾斜角度の大きい第２傾斜面１４６を有している。更に、第１傾斜面１４５および第２傾斜面１４６の幅は、捨て水Ｓの下流に向かって広がるように形成されている。図５は、図４に示す第１傾斜面１４５が、捨て水Ｓの流れ方向に長い変形例の断面を示す。
【００３５】
図６は、便器２００側から見た排水部１４０の斜視図である。第１傾斜面１４５および第２傾斜面１４６は、捨て水Ｓの流れ方向（換言すれば、孔１４２から便器２００に向かう傾斜面１４５の延在方向）と、捨て水Ｓの流れ方向に直角な幅方向と、に直角な方向に凹む凹状に形成されている。孔１４２および傾斜面１４４の周囲には、孔１４２および傾斜面１４４を囲い外観を向上すると共に、捨て水Ｓの量が変動した場合に捨て水が飛び散るのを防止するためのリブ１４７が形成されている。
【００３６】
本実施例では、傾斜面１４４（第１傾斜面１４５、第２傾斜面１４６）とリブ１４７は樹脂成形により一体的に成形されている。更に、傾斜面１４４の幅方向において、傾斜面１４４（第１傾斜面１４５、び第２傾斜面１４６）の幅方向縁部とリブ１４７の内壁面とを繋ぐ接続部１４８は、傾斜面１４４と同様に凹状に形成されている。
【００３７】
次に、上記した本実施例の作用について説明する。
【００３８】
トイレ装置１００を使用する際、給水バルブ１１２により適量に調節され、熱交換ユニット１１５および脈動バルブ１１６により、圧力変動された温水の洗浄水が洗浄ノズル１１１から放出される。一方、洗浄水として不要となった捨て水Ｓは、給水バルブ１１２で除かれ、図１および図４に示すように、排水ホース１１３を介して排水部１４０より、便器２００内へ排出される。
【００３９】
この時、捨て水Ｓは、孔１４２から流れ出た捨て水Ｓと傾斜面１４４である第１傾斜面１４５との間に発生する負圧により、第１傾斜面１４５に沿って便器２００の内面２０１に案内されて、内面２０１を伝って便器２００内の封水Ｈに導かれる。このように、捨て水Ｓを便器２００内に導く孔１４２を排水部１４０として利用するため、装置を大きくすることなく、捨て水Ｓを封水Ｈに導くことができる。また、捨て水Ｓが便器２００の内面２０１を伝って封水Ｈに導かれるため、捨て水Ｓの飛沫によって人の臀部が濡れたり、異音が生じることを低減できる。
【００４０】
本実施例では、傾斜面１４４は、図６に示すように、捨て水Ｓの流れ方向と、捨て水Ｓの流れ方向に直角な幅方向と、に直角な方向に凹む凹状に形成されているため、捨て水Ｓは傾斜面１４４の周囲に伝わって導かれることを抑制でき、捨て水Ｓを便器２００の内面２０１に導くことができる。
【００４１】
また、本実施例では、第１傾斜面１４５の下流側に、第１傾斜面１４５より傾斜角度の大きい第２傾斜面１４６を設けることにより、捨て水Ｓを便器２００の内面２０１のより近くへ案内することでき、確実に捨て水Ｓは、内面２０１を伝って便器２００内の封水Ｈに導かれる。
【００４２】
更に、捨て水Ｓは孔１４２から傾斜面１４４にガイドされて便器２００の内面２０１に導かれることから、排水部１４０において捨て水Ｓの流れを妨げることなくスムーズに排水することができる。
【００４３】
更に、傾斜面１４４とリブ１４７の内壁面とを繋ぐ接続部１４８が凹状に形成されていることから、たとえ、捨て水Ｓが傾斜面１４４の幅方向における縁部を越えた場合でも、縁部を乗り越えた捨て水Ｓは接続部１４８により更にガイドされて、傾斜面１４４に戻される、或いは、便器２００の内面２０１へ導かれて排水される。
【００４４】
次に、以下、本発明の実施の形態である第２の実施例について説明する。第２の実施例は、図７，図８に示す排水部３４０以外は、第１の実施例と同じであるため、排水部３４０以外は説明を省略し、排水部３４０についてのみ説明する。図７は、排水部３４０の正面図であり、図８は、排水部３４０の断面図である。
【００４５】
排水部３４０は、ベースプレート３１４に形成され便器２００内に通じ、捨て水Ｓを通す孔３４２からなり、孔３４２が仕切り３４３により仕切られている。仕切り３４３は、メッシュ状に設けられている。
【００４６】
上記構成によれば、装置を大きくすることなく、捨て水Ｓを封水Ｈに導くことができる。また、捨て水Ｓがメッシュ状に設けられた仕切り３４３により分けられ、捨て水Ｓが細かく分散され封水Ｈに導かれるため、捨て水Ｓの飛沫によって人の臀部が濡れたり、異音が生じることを低減することができる。
【００４７】
次に、以下、本発明の実施の形態である第３の実施例について説明する。第３の実施例は、図９，図１０示す排水部４４０以外は、第１の実施例と同じであるため、排水部４４０以外は説明を省略し、排水部４４０についてのみ説明する。
【００４８】
排水部４４０は、ベースプレート４１４に形成され便器２００内に通じ、捨て水Ｓを通す孔４４２からなり、孔４４２が仕切り４４３により仕切られている。仕切り４４３は孔４４２の中央から放射状に形成され、孔４４２の中央には上流側に向かって突出した半球状の突部４４４が形成されている。
【００４９】
上記構成によれば、装置を大きくすることなく、捨て水Ｓを封水Ｈに導くことができる。また、捨て水Ｓが半球状の突部４４４に案内され円周上に散布され、放射状に形成された仕切り４４３により分けられ、捨て水Ｓが細かく分散され封水Ｈに導かれるため、捨て水Ｓの飛沫によって人の臀部が濡れたり、異音が生じることを低減することができる。
【符号の説明】
【００５０】
１０・・・洋風便器装置
１１１・・・洗浄ノズル（洗浄部）
１１２・・・給水バルブ（水量調節部）
１１３・・・排水ホース（排水通路）
１１４・・・ベースプレート
１４０、３４０、４４０・・・排水部
１４２、３４２、４４２・・・孔
１４３・・・縁部
１４４・・・傾斜面
１４５・・・第１傾斜面
１４６・・・第２傾斜面
２００・・・便器
２０１・・・内面
３４３、４４３・・・仕切り
４４４・・・突部
Ｓ・・・捨て水
Ｈ・・・封水
【図１】
0005582332.tif 000002
【図２】
0005582332.tif 000003
【図３】
0005582332.tif 000004
【図４】
0005582332.tif 000005
【図５】
0005582332.tif 000006
【図６】
0005582332.tif 000007
【図７】
0005582332.tif 000008
【図８】
0005582332.tif 000009
【図９】
0005582332.tif 000010
【図１０】
0005582332.tif 000011